(57)【要約】【課題】  外力でケース内部の電線が移動しないようにし、電線と基板の接続部を保護して、電気機器の寿命を改善する。【解決手段】  電気機器１のケース２を第１分割片２ａと第２分割片２ｂとから構成する。第１分割片２ａの内部に電子部品７が実装された基板６を収容し、基板６から延びる電源線８の外周にスリーブ９を固着する。第１分割片２ａに第１電線把持部材１１を装着し、第２分割片２ｂに第２電線把持部材１２を装着し、ケース２の組立状態で第１および第２電線把持部材１１，１２によりケース２内部の電源線８を強力に把持する。【選択図】        図１
2014130859.tif 000002
【特許請求の範囲】
【請求項１】
電子部品が実装された基板をケースの内部に収め、基板から延びる電線をケースの外部に引き出す電気機器において、ケースを第１分割片と第２分割片とから構成し、第１分割片に第１電線把持部材を装着し、第２分割片に第２電線把持部材を装着し、ケースの組立状態で第１および第２電線把持部材がケース内部の電線を把持することを特徴とする筐体構造。
【請求項２】
前記電線の外周にスリーブが固着され、前記第１および第２電線把持部材がスリーブを介して電線を把持する請求項１記載の筐体構造。
【請求項３】
前記第１および／または第２電線把持部材に電線をケースの外部に引き出すための出線口が形成され、第１および／または第２分割片に出線口をケースの外面に露出させる開口部が設けられている請求項１又は２記載の筐体構造。
【請求項４】
前記基板が第１分割片の内部に収められ、第１電線把持部材が基板の係止孔に係合する係止爪を備えている請求項１、２又は３記載の筐体構造。
【発明の詳細な説明】
【技術分野】
【０００１】
本発明は、電子部品を実装した基板がケースの内部に収められ、基板から延びる電線がケースの外部に引き出される電気機器において、電線がケースの外部から引っ張られても、電線と基板の接続部に無理な力が加わることがない筐体構造に関する。
【背景技術】
【０００２】
従来、図４に示すように、ケース５１の内部に基板５２を収め、基板５２に電線５３の基端を接続し、電線５３の自由部に結束バンド５４を巻き付け、ケース５１の出線口５５の内面に結束バンド５４を係止することで、電線５３をケース５１に拘束する技術が知られている。なお、特許文献１，２には、結束バンドを用いて電線の自由部を基板に固定する技術が記載されている。
【先行技術文献】
【特許文献】
【０００３】
【特許文献１】特開２０１０−１４６８８８号公報
【特許文献２】特開２０１２−２２２９８６号公報
【発明の概要】
【発明が解決しようとする課題】
【０００４】
ところが、従来技術によると、次のような問題点があった。
（１）電線５３をケース５１の外部から強く引っ張ると、結束バンド５４が滑って、電線５３がケース５１の内部で移動し、基板５２との接続部に無理な力が作用する。
（２）電線５３をケース５１の内部に押し込むと、結束バンド５４が電線５３と一緒に移動し、基板５２の接続部に曲げ応力が発生する。
【０００５】
本発明の目的は、外力によって電線がケースの内部で移動しない筐体構造を提供することにある。
【課題を解決するための手段】
【０００６】
上記課題を解決するために、本発明の筐体構造は、電子部品が実装された基板をケースの内部に収め、基板から延びる電線をケースの外部に引き出す電気機器において、ケースを第１分割片と第２分割片とから構成し、第１分割片に第１電線把持部材を装着し、第２分割片に第２電線把持部材を装着し、ケースの組立状態で第１および第２電線把持部材がケース内部の電線を把持することを特徴とする。
【０００７】
ここで、好ましくは、電線の外周にスリーブが固着され、第１および第２電線把持部材がスリーブを介して電線を把持する。第１および／または第２電線把持部材には、電線をケースの外部に引き出すための出線口が形成され、第１および／または第２分割片に、出線口をケースの外面に露出させる開口部が設けられる。また、基板が第１分割片の内部に収められ、第１電線把持部材が基板の係止孔に係合する係止爪を備えている。
【発明の効果】
【０００８】
本発明の筐体構造によれば、ケース内部の電線が一対の電線把持部材により強力に把持されるので、ケースの外部で電線が引っ張られたり押し込まれたりした場合でも、ケースの内部で電線が移動しない。このため、電線と基板の接続部に無理な力が作用しなくなり、電気機器の寿命が改善される。
【図面の簡単な説明】
【０００９】
【図１】本発明の一実施形態を示す電気機器の分解斜視図である。
【図２】図１の電気機器の組立途中の形態を示す斜視図である。
【図３】図１の電気機器の組立完了後の形態を示す斜視図である。
【図４】従来技術を示す電気機器の部分斜視図である。
【発明を実施するための形態】
【００１０】
以下、本発明の実施形態を図面に基づいて説明する。図１〜図３に示す電気機器１は震動を感知する感震器であって、ケース２が回路遮断器（図示略）と一緒に分電盤の内部に設置される。ケース２の前面には配線用の開口部３が形成され、ケース２の背面に導電バーの挿入溝４が形成されている。
【００１１】
この実施形態の筐体構造では、ケース２が第１分割片２ａと第２分割片２ｂとから構成され、第１分割片２ａの内部に基板６が収められている。基板６には感震センサ７を含む各種電子部品が実装されるとともに、電源線８の基端が接続されている。電源線８の自由部は電線把持部材１１，１２によって形成される出線口２０から出線した後に最下段の開口部３ａに通してケース２の外部に引き出され、配線に使用しない他の開口部３が閉塞板５で塞がれる。
【００１２】
電源線８の外周にはスリーブ９が固着され、ケース２の内部にスリーブ９を介して電源線８を把持する一対の電線把持部材１１，１２が設けられている。電線把持部材１１，１２は合成樹脂製ブロックを二分割して形成され、第１電線把持部材１１がケース２の第１分割片２ａに分解可能に装着され、第２電線把持部材１２が第２分割片２ｂに分解可能に装着される。
【００１３】
図１に示すように、第１電線把持部材１１には、スリーブ９とその両側の電源線８を把持する把持溝１３と、第１分割片２ａの開口部３ａに嵌合する凸部１４と、基板６の係止孔１５に係合する爪１６とが設けられている。第２電線把持部材１２には、スリーブ９および電源線８を把持する把持面１７と、第２分割片２ｂの開口部３ｂに嵌合する突部１８と、２つの把持部材１１，１２を引き離すための摘み１９とが設けられている。
【００１４】
把持溝１３の外端において、第１電線把持部材１１の凸部１４には電源線８をケース２の外部に引き出すための出線口２０（図３参照）が形成され、第１分割片２ａの開口部３ａからケース２の外面に露出するようになっている。なお、把持溝１３と出線口２０を第２電線把持部材１２に形成することもでき、両方の把持部材１１，１２に跨るように形成することもでき、出線口２０を第２分割片２ｂの開口部３ｂから露出させることもできる。
【００１５】
電気機器１の組み立てに際しては、図２に示すように、まず、第１分割片２ａに基板６と第１電線把持部材１１を装着し、第２分割片２ｂに第２電線把持部材１２を装着したのち、スリーブ９を第１電線把持部材１１の把持溝１３に嵌着する。次に、図３に示すように、第１および第２電線把持部材１１，１２を接合し、第１および第２分割片２ａ，２ｂを組み合わせ、複数のネジ２１で分割片２ａ，２ｂを結合して、ケース２を組み立てる。
【００１６】
ケース２の組立状態では、電線把持部材１１，１２が電源線８を強力に把持しているため、ケース２の外部から電源線８を引っ張った場合でも、ケース２の内部では電源線８が移動しない。また、第１電線把持部材１１の爪１６が基板６の係止孔１５に係合しているので、電源線８をケース２の内部に押し込んだ場合も、電源線８は移動しない。したがって、電源線８と基板６の接続部に無理な力が加わらないようにして、電気機器１の寿命を改善することができる。
【００１７】
なお、本発明は感震器に限定されるものではなく、各種電気機器の筐体構造に適用することができる。また、電源線に代えて信号線を一対の電線把持部材で把持したり、電線把持部材の形状を適宜に変更したりするなど、本発明の趣旨を逸脱しない範囲で、各部の構成を変更して実施することも可能である。
【符号の説明】
【００１８】
１    電気機器
２    ケース
２ａ    第１分割片
２ｂ    第２分割片
３    開口部
６    基板
７    感震センサ（電子部品）
８    電源線
９    スリーブ
１１    第１電線把持部材
１２    第２電線把持部材
１５    係止孔
１６    爪
２０    出線口
【図１】
2014130859.tif 000003
【図２】
2014130859.tif 000004
【図３】
2014130859.tif 000005
【図４】
2014130859.tif 000006